(57)【要約】【課題】吊りボルトに対する仮止め作業が極めて容易になり、片手で器具類を支えることなく固定作業を行うことができ、複数の吊りボルトに固定する必要がある器具類でも一人で装着可能になり、高所での取り付け作業の負担を減らして作業者の疲労を軽減することが可能になる吊りボルト用仮止め具を提供する。【解決手段】吊りボルトＰの両側面で対峙し、該側面を挟持する一対の係止爪１３を設ける。該係止爪１３から下方に延長されて各係止爪１３に連続する弾性把持体１０を設ける。弾性把持体１０は、略Ｕ字形状に形成された把持部１１と、該把持部１１の開放端部に設けられ上下に重なり合う重合部１２とを有する。係止爪１３は、把持部１１の重合部１２に形成される。弾性把持体１０を握ったときに係止爪１３相互が開き、放したときに該弾性把持体１０の弾性力にて係止爪１３相互が吊りボルトＰを挟持するように設ける。【選択図】図１
2010159577.tif 000002
【特許請求の範囲】
【請求項１】
吊りボルトに装着する器具類を該吊りボルトに仮止めする仮止め具であって、吊りボルトの両側面で対峙し、該側面を挟持する一対の係止爪と、該係止爪から下方に延長されて各係止爪に連続する弾性把持体とを有し、
該弾性把持体は、略Ｕ字形状に形成された把持部と、該把持部の開放端部に設けられ上下に重なり合う重合部とを有し、
一方、係止爪は、把持部の重合部に形成され、
弾性把持体を握ったときに係止爪相互が開き、弾性把持体を放したときに該弾性把持体の弾性力にて係止爪相互が吊りボルトの側面を挟持するように設けられたことを特徴とする吊りボルト用仮止め具。
【請求項２】
前記係止爪は、前記弾性把持体の重合部にそれぞれ開穿された切欠部の内側縁に設けられた請求項１記載の吊りボルト用仮止め具。
【請求項３】
前記切欠部に、平面略円弧形状に形成され前記係止爪に吊りボルトを導入せしめる導入口が設けられた請求項１又は２記載の吊りボルト用仮止め具。
【請求項４】
前記把持部は、前記係止爪が吊りボルト側面を挟持したときに、該係止爪から斜め下方に延長形成され、吊りボルトの側面と把持部との間に吊りボルト下端部へのナット装着用スペースが設けられる請求項１記載の吊りボルト用仮止め具。
【発明の詳細な説明】
【技術分野】
【０００１】
本発明は、吊りボルトに照明器具などを固定する際に、この器具類を吊りボルトに仮止めして器具類の固定作業を容易にする吊りボルト用仮止め具に関する。
【背景技術】
【０００２】
天井に照明器具を設置するには、天井スラブ等から吊り下げられている吊りボルトにネジ止め固定する。この場合、照明器具の本体に開穿されているボルト挿通孔に吊りボルトを差込み、この吊りボルトの下端部から座金やナットをネジ止めして器具を固定する。
【０００３】
照明器具のように、天井に装着する器具類の取り付け作業は、器具を支えながら吊りボルトに座金やナットをネジ止めする作業になる。ところが、この作業は高所での作業になるので、器具類を支えながら座金やナットをネジ止めする作業は辛く、何十もの器具類を施工する場合には、肉体的疲労を伴う作業になっていた。しかも、器具類が大型の蛍光灯などの場合には、一人の作業では更に困難になるので、二人がかりの作業になっている。
【０００４】
そのため、従来では、器具類を仮止めする工具を利用し、この種の器具類の取り付け作業の軽減化を図っていた。
【０００５】
図１０に示す仮止め具１００は、側面から略水平に開く受け爪１１０を利用するものである。すなわち、器具類Ｑとして大型の照明器具を取り付ける一対の吊りボルトＰの下端部に仮止め具１００をネジ止めし（同図（イ）参照）、この仮止め具１００を通して吊りボルトＰに照明器具本体を挿通した後、仮止め具１００の受け爪１１０が略水平に開かれ、この受け爪１１０に照明器具を仮止めする（同図（ロ）参照）。そして、一方の仮止め具１００を外して吊りボルトＰに座金やナットをネジ止めし、更に、他方の仮止め具１００を外して同じ作業を繰り返すことで、大型の照明器具の装着作業を一人でも行えるようにしたものである。
【０００６】
また特許文献１に、吊りボルトに挟み付けて所定の吊り具を固定する吊り具用留め金具が記載されている。この吊り具用留め金具では、側面略コ字状を成した留め金具に、大、中、小の三つの孔を形成し、大きい方から遊嵌穴、仮止め穴、係止穴としている。一方、帯板状を成した吊り具の上端部を略水平に屈曲して側面略逆Ｌ字形状に形成し、この水平部分を留め金具に重ねると共に、水平部分に開穿した穴と留め金具の遊嵌穴とを重ねて吊りボルトに挿通する。そして、この吊りボルトに対して留め金具を水平にスライドさせて遊嵌穴から仮止め穴へ、仮止め穴から係止穴へと吊りボルトの位置を移動させることで、吊りボルトと係止穴とを係止させ、留め金具に重ねた吊り具を吊りボルトに固定するものである。
【先行技術文献】
【特許文献】
【０００７】
【特許文献１】特開平９‐３０２８３６号公報
【発明の概要】
【発明が解決しようとする課題】
【０００８】
図１０に示す従来の仮止め具１００によると、吊りボルトＰの下端部にネジ止めされ、この仮止め具１００から開く受け爪１１０により、照明器具を吊りボルトに仮止めすることを可能にしている。ところが、この仮止め具１００を使用する場合に、予め吊りボルトＰ下端部に仮止め具１００をネジ止めしておき、照明器具を固定する作業では、この仮止め具１００を吊りボルトＰから取り外す必要がある。したがって、器具類Ｑを固定するまでに、仮止め具１００を着脱する作業が何度も繰り返されるので、この作業に多くの手間を要するものであった。
【０００９】
一方、特許文献１に記載の留め金具によると、留め金具と吊り具とを重ねて吊りボルトに挿通する作業が必要になるので、この留め金具を照明器具等の仮止め具として使用するには、作業上、多くの困難が伴うものである。
【００１０】
そこで本発明は上述の課題を解消すべく創出されたもので、吊りボルトに対する仮止め作業が極めて容易になり、片手で器具類を支えることなく固定作業を行うことができ、複数の吊りボルトに固定する必要がある器具類でも一人で装着可能になり、高所での取り付け作業の負担を減らして作業者の疲労を軽減することが可能になる吊りボルト用仮止め具の提供を目的とするものである。
【課題を解決するための手段】
【００１１】
上述の目的を達成すべく本発明における第１の手段は、吊りボルトＰに装着する器具類Ｑを該吊りボルトＰに仮止めする仮止め具であって、吊りボルトＰの両側面で対峙し、該側面を挟持する一対の係止爪１３と、該係止爪１３から下方に延長されて各係止爪１３に連続する弾性把持体１０とを有し、該弾性把持体１０は、略Ｕ字形状に形成された把持部１１と、該把持部１１の開放端部に設けられ上下に重なり合う重合部１２とを有し、一方、係止爪１３は、把持部１１の重合部１２に形成され、弾性把持体１０を握ったときに係止爪１３相互が開き、弾性把持体１０を放したときに該弾性把持体１０の弾性力にて係止爪１３相互が吊りボルトＰの側面を挟持するように設けたことにある。
【００１２】
第２の手段の前記係止爪１３は、前記弾性把持体１０の重合部１２にそれぞれ開穿された切欠部１４の内側縁に設けられている。
【００１３】
第３の手段は、前記切欠部１４に、平面略円弧形状に形成され前記係止爪１３に吊りボルトＰを導入せしめる導入口１５を設けたものである。
【００１４】
第４の手段の前記把持部１１は、前記係止爪１３が吊りボルトＰ側面を挟持したときに、該係止爪１３から斜め下方に延長形成され、吊りボルトＰの側面と把持部１１との間に吊りボルトＰ下端部へのナット装着用スペースが設けられたことを課題解消のための手段とする。
【発明の効果】
【００１５】
本発明の請求項１の如く、弾性把持体１０を握ったときに係止爪１３相互が開き、弾性把持体１０を放したときに該弾性把持体１０の弾性力にて係止爪１３相互が吊りボルトＰの側面を挟持するように設けたことにより、本発明仮止め具を吊りボルトＰの側面に装着するだけで、吊りボルトに対する器具類Ｑの仮止め作業が行える。しかも、片手で器具類を支えることなく固定作業を行うことができ、複数の吊りボルトに固定する必要がある器具類でも一人で装着可能になる。
【００１６】
請求項２のように、係止爪１３は、前記弾性把持体１０の重合部１２にそれぞれ開穿された切欠部１４の内側縁に設けられているので、弾性把持体１０を放したときに係止爪１３が吊りボルトＰの側面を確実に挟持するものになる。この結果、従来の仮止め具のように吊りボルトＰの下端にネジ止めするなどといった作業は必要なくなり、吊りボルトに対する仮止め作業が極めて容易になった。
【００１７】
請求項３のごとく、切欠部１４に、平面略円弧形状に形成され前記係止爪１３に吊りボルトＰを導入せしめる導入口１５を設けることで、切欠部１４の係止爪１３内部に吊りボルトＰを容易に導入することができる。したがって、高所での取り付け作業の負担を減らして作業者の疲労を軽減することが可能になる。
【００１８】
請求項４のように、把持部１１は、前記係止爪１３が吊りボルトＰ側面を挟持したときに、該係止爪１３から斜め下方に延長形成され、吊りボルトＰの側面と把持部１１との間に吊りボルトＰ下端部へのナット装着用スペースが設けられることによって、器具類Ｑを固定するナット等を吊りボルトＰにネジ止めする際に、本発明仮止め具の把持部１１が作業の妨げにならずに済み、安全で確実な固定作業を行うことができる。
【００１９】
このように本発明によると、吊りボルトに対する仮止め作業が極めて容易になり、片手で器具類を支えることなく固定作業を行うことができ、複数の吊りボルトに固定する必要がある器具類でも一人で装着可能になり、高所での取り付け作業の負担を減らして作業者の疲労を軽減することが可能になるなどといった種々の効果を奏するものである。
【図面の簡単な説明】
【００２０】
【図１】本発明の一実施例を示す斜視図である。
【図２】本発明の一実施例を示す側面図である。
【図３】本発明の一実施例を示す正面図である。
【図４】本発明の重合部と切欠部との一実施例で、（イ）は常態を示し、（ロ）は開いた状態、（ハ）は閉じた状態を示す平面図である。
【図５】本発明の係止爪が吊りボルトを挟着した状態を示す要部拡大正面図である。
【図６】（イ）乃至（ハ）は、本発明仮止め金具の施工手順を示す説明図である。
【図７】本発明の他の実施例を示す斜視図である。
【図８】本発明の他の実施例を示す斜視図である。
【図９】本発明の他の実施例を示す斜視図である。
【図１０】（イ）及び（ロ）は、従来の仮止め金具の施工状態を示す概略図である。
【発明を実施するための形態】
【００２１】
吊りボルトに対する仮止め作業が極めて容易にし、片手で器具類を支えることなく固定作業を行うことができ、高所での取り付け作業の負担を減らして作業者の疲労を軽減するという目的を、極めてシンプルな構成の吊りボルト用仮止め具にて実現した。
【実施例１】
【００２２】
以下、本発明の一実施例を説明する。本発明仮止め具は、吊りボルトＰを貫通させた器具類Ｑの下において（図６（イ）参照）、弾性把持体１０を操作し、吊りボルトＰの側面に係止爪１３を挟着させて装着する仮止め具である（図６（ロ）参照）。そして、この仮止め具の上に器具類Ｑを載せて仮止めした状態で固定用のナットＲを座金と共に吊りボルトＰ下端から装着する（図６（ハ）参照）。器具類Ｑは、蛍光灯などの照明器具の装着に最適であるが、吊りボルトＰに装着する器具類Ｑならどのような器具類Ｑでも仮止めできる。
【００２３】
本発明仮止め具の弾性把持体１０は、略Ｕ字形状に形成された把持部１１と、該把持部１１の開放端部に設けられ上下に重なり合う重合部１２とを有する部材である（図１参照）。そして、この弾性把持体１０を握ったときに、重なりあった重合部１２が移動し、弾性把持体１０を放したときに該弾性把持体１０の弾性力にて切欠部１４がもとの位置に戻ろうとする過程で、係止爪１３相互が吊りボルトＰの側面を挟持するものである。
【００２４】
すなわち重合部１２は、通常、弾性把持体１０の弾性力にて離れ、切欠部１４相互の位置がずれた状態にある（図４（イ）参照）。次に、弾性把持体１０を握ると、重合部１２が移動して切欠部１４相互の位置が一致して切欠部１４が開いた状態になる（図４（ロ）参照）。この状態で切欠部１４内に吊りボルトＰを挿入し、弾性把持体１０を放すと、係止爪１３相互が吊りボルトＰの側面を挟持するように設けられている（図４（ハ）参照）。
【００２５】
弾性把持体１０は、一対の把持部１１を有し、この把持部１１の開放端部に形成した重合部１２を開閉させるものである。図示の弾性把持体１０は、帯板状の弾性材が略Ｕ字形状を成す把持部１１を形成している（図３参照）。この把持部１１の弾性強度を高めるために、略Ｕ字形状の板ばねに、帯板状の把持部１１を一対連結して弾性把持体１０を形成することも可能である。また、把持部１１にすべり止めの被覆材を被せることで、弾性把持体１０の操作性を高めてもよい。更に図示例では、係止爪１３が吊りボルトＰ側面を略水平に挟持したときに、弾性把持体１０が該係止爪１３から斜め下方に延長するように設けることで、吊りボルトＰの側面と弾性把持体１０との間に大きな空間が生じ、ナットＲの装着用スペースが設けられるものである（図２参照）。
【００２６】
また、図７に示す弾性把持体１０の把持部１１には、把持部１１の弾性力を高めるために弾性補助片１７を設けている。この弾性補助片１７は、一方の把持部１１から切り起こされ、他方の把持部１１に当接するもので、把持部１１を握ると、この弾性補助片１７の弾性力が把持部１１に加わり、より強力な弾性力が得られる。この結果、係止爪１３での挟着力を高めることができる。
【００２７】
更に、図８に示すごとく、帯板状の弾性材を環状に折り曲げた把持部１１や、図９に示すように、重合部１２の延長方向に把持部１１を設けるなど、弾性把持体１０の把持部１１は、把持部１１の弾性力にて重合部１２が開閉する構成であれば設計変更は自由に行えるものである。
【００２８】
重合部１２は、把持部１１の開放端部に設けられる部位であり（図１参照）、この重合部１２に開穿された係止爪１３が重合部１２と共に開閉する（図４参照）。図示の重合部１２は、各重合部１２に開穿したスライド孔１２Ａに揺動ピン１６を挿通して軸支したもので、把持部１１を操作すると、この揺動ピン１５を介して重合部１２の先端部が開閉するように設けている。そして、この重合部１２の先端部に切欠部１４を形成し、この切欠部１４の内側縁に係止爪１３を設けている。
【００２９】
更に、この切欠部１４に、平面略円弧形状に形成され、切欠部１４内に吊りボルトＰを導入せしめる導入口１５を設けている（図４参照）。すなわち、把持部１１を握って開きかけた導入口１５に吊りボルトＰの側面を当てて吊りボルトＰ側に押し込むと、導入口１５に沿って切欠部１４が開き、切欠部１４内部に吊りボルトＰを導入することができる。図示の導入口１５は、切欠部１４の開口端部から平面略扇状に広がっており、平面略円形状の切欠部１４内部に導入するものである。このように設けることで、吊りボルトＰの導入作業が容易になり、しかも、切欠部１４に導入した吊りボルトＰの側面を確実に挟着することが可能になる。また、重合部１２や切欠部１４の形状は、この他、図７乃至図９に示すように任意に変更できる。
【００３０】
図７に示す重合部１２は、一方の重合部１２にスライド保持部１２Ｂを設けたもので、該スライド保持部１２Ｂで他方の重合部１２をスライド自在に保持するものである（同図（イ）参照）。そして、把持部１１の操作により、重ねた重合部１２が重合部１２内でスライド移動して吊りボルトＰを挟着する（同図（ロ）参照）。また、図８や図９に示すごとく、重合部１２を単純形状に形成してもよい。
【００３１】
また、重合部１２を重ねた厚みは、できるだけ薄いほうが望ましい。例えば器具類Ｑが蛍光灯の場合、器具類Ｑから突出する吊りボルトＰ下端部が突出する長さは基本的に短く設定されている。そのため、突出長さが短い吊りボルトＰでも仮止めできるようにするために、重合部１２の厚みをできるだけ薄く形成している（図６（ハ）参照）。
【００３２】
係止爪１３は、把持部１１の重合部１２に形成され、吊りボルトＰの両側面で対峙し、該側面を挟持するように一対形成されている（図４（ハ）参照）。この係止爪１３は、重合部１２の切欠部１４の内側縁に設けられている。したがって、係止爪１３と切欠部１４とは、ほぼ同じ形状を成しているが、切欠部１４の中で吊りボルトＰの側面に当接する部分を係止爪１３とするものである（図４（ロ）参照）。そこで、この係止爪１３が吊りボルトＰのネジ山に係合するように厚みを薄くすることで、より強力に挟着することができる（図１参照）。
【００３３】
次に、図６に基づいて本発明仮止め具の施工手順を示す。同図（イ）のごとく、器具類Ｑを持ち上げ、器具類Ｑのボルト挿通孔Ｑ１に吊りボルトＰを挿通する。次に、同図（ロ）のように、弾性把持体１０を操作して係止爪１３を吊りボルトＰの下端部に挟着し、本発明仮止め具を固定する。更に、同図（ハ）に示すように、仮止め状態で吊りボルトＰ下端部に座金やナットＲを仮締めする。その後、器具類Ｑを持ち上げながら本発明仮止め具を取り外し、ナットＲを本締めして器具類Ｑの取り付け作業が終了する。
【００３４】
尚、本発明は、図示例に限定されるものではなく、本発明の各構成は本発明の要旨を変更しない範囲において自由に変更できるものである。
【産業上の利用可能性】
【００３５】
本発明によると、照明器具のみならず、吊りボルトＰに仮止めが必要な器具類Ｑなどにも適用できる。
【符号の説明】
【００３６】
Ｐ  吊りボルト
Ｑ  器具類
Ｑ１  ボルト挿通孔
Ｒ  ナット
１０  弾性把持体
１１  把持部
１２  重合部
１２Ａ  スライド孔
１２Ｂ  スライド保持部
１３  係止爪
１４  切欠部
１５  導入口
１６  揺動ピン
１７  弾性補助片
１００  仮止め具
１１０  受け爪
【図１】
2010159577.tif 000003
【図２】
2010159577.tif 000004
【図３】
2010159577.tif 000005
【図４】
2010159577.tif 000006
【図５】
2010159577.tif 000007
【図６】
2010159577.tif 000008
【図７】
2010159577.tif 000009
【図８】
2010159577.tif 000010
【図９】
2010159577.tif 000011
【図１０】
2010159577.tif 000012